(57)【特許請求の範囲】
【請求項１】
フレーム同期信号とデータがピットとランドからなるピットパターンによって記録された第１の記録領域と、ピットとランドからなる所定の繰り返しピットパターンが予め形成され、光ディスク単体を識別する固有識別データが記録される第２の記録領域とを有し、アドレスデータが記録されている光ディスクを回転駆動する回転駆動部と、
上記光ディスクに光ビームを照射し、上記光ディスクを走査するヘッド部と、
上記ヘッド部が上記第１の記録領域を走査しているときには上記フレーム同期信号を用いて第１の回転制御モードで上記回転駆動部を制御し、上記ヘッド部が上記第２の記録領域を走査しているときには上記所定の繰り返しピットパターンを用いて第２の回転制御モードで上記回転駆動部を制御する制御部を備えている光ディスクの記録及び／又は再生装置。
【請求項２】
上記制御部は、上記ヘッド部によって上記光ディスクから読み出されたアドレスデータに基づいて上記ヘッド部が上記第１の記録領域と上記第２の記録領域のいずれの領域を走査しているかを判別し、上記判別した結果に基づいて上記第１の回転制御モードと上記第２の回転制御モードとを切り換える請求項１記載の光ディスクの記録及び／又は再生装置。
【請求項３】
上記制御部は、上記ヘッド部によって上記光ディスクから読み出されたアドレスデータに基づいて上記第１の回転制御モードから上記第２の回転制御モードに切り換える上記回転駆動部の回転制御モード切換位置か否かを判別し、上記判別の結果が上記切換位置であったときには、上記第２の回転制御モードに切り換える請求項２記載の光ディスクの記録及び／又は再生装置。
【請求項４】
上記制御部は、上記第２の回転制御モードのとき、上記ヘッド部によって読み出された上記所定の繰り返しピットパターンを検出した出力信号から反転間隔を検出し、検出された反転間隔の値に基づいて上記回転駆動部の制御を行う請求項３記載の光ディスクの記録及び／又は再生装置。
【請求項５】
上記制御部は、上記切換位置でなかったときには上記回転駆動部を上記第１の回転制御モードで制御する請求項３記載の光ディスクの記録及び／又は再生装置。
【請求項６】
上記装置は、上記第２の回転制御モードによって上記回転駆動部が制御されている状態で上記第２の記録領域に予め形成されている上記所定の繰り返しピットパターンを用いてフォーカシングサーボ制御とトラッキングサーボ制御を行い、上記固有識別データを上記第２の記録領域から読み出す請求項１記載の光ディスクの記録及び／又は再生装置。
【請求項７】
上記制御部は、上記ヘッド部が上記第１の記録領域を走査しているときには上記ヘッド部からの出力信号から抽出された上記フレーム同期信号に基づいて上記回転駆動部を制御した後に、上記ヘッド部からの出力信号から検出されたクロック信号に基づく制御を行う請求項１記載の光ディスクの記録及び／又は再生装置。
【請求項８】
回転駆動部によって回転駆動された、フレーム同期信号とデータがピットとランドからなるピットパターンによって記録された第１の記録領域と、ピットとランドからなる所定の繰り返しピットパターンが予め形成され、光ディスク単体を識別する固有識別データが記録される第２の記録領域とを有し、アドレスデータが記録されている光ディスクをヘッド部によって走査し、
上記ヘッド部が上記第１の記録領域を走査しているときには上記フレーム同期信号を用いて第１の回転制御モードで上記回転駆動部を制御し、
上記ヘッド部が上記第２の記録領域を走査しているときには上記所定の繰り返しピットパターンを用いて第２の回転制御モードで上記回転駆動部を制御する光ディスクの記録及び／又は再生方法。
【請求項９】
上記方法は、上記ヘッド部によって上記光ディスクから読み出されたアドレスデータに基づいて上記ヘッド部が上記第１の領域と上記第２の記録領域のいずれの領域を走査しているかを判別し、上記判別した結果に基づいて上記第１の回転制御モードと上記第２の回転制御モードとを切り換える請求項８記載の光ディスクの記録及び／又は再生方法。
【請求項１０】
上記方法は、上記ヘッド部によって上記光ディスクから読み出されたアドレスデータに基づいて上記第１の回転制御モードから上記第２の回転制御モードに切り換える上記回転駆動部の回転制御モード切換位置か否かを判別し、上記判別の結果が上記切換位置であったときには、上記第２の回転制御モードに切り換える請求項９記載の光ディスクの記録及び／又は再生方法。
【請求項１１】
上記方法は、上記第２の回転制御モードのとき、上記ヘッド部によって読み出された上記所定の繰り返しピットパターンを検出した出力信号から反転間隔を検出し、検出された反転間隔の値に基づいて上記回転駆動部の制御を行う請求項１０記載の光ディスクの記録及び／又は再生方法。
【請求項１２】
上記方法は、上記切換位置でなかったときには上記回転駆動部を上記第１の回転制御モードで制御する請求項１０記載の光ディスクの記録及び／又は再生方法。
【請求項１３】
上記方法は、上記第２の回転制御モードによって上記回転駆動部が制御されている状態で上記第２の記録領域に予め形成されている上記所定の繰り返しピットパターンを用いてフォーカシングサーボ制御とトラッキングサーボ制御を行い、上記固有識別データを記録する請求項１２記載の光ディスクの記録及び／又は再生方法。
【請求項１４】
上記方法は、上記第２の回転制御モードによって上記回転駆動部が制御されている状態で上記第２の記録領域に予め形成されている上記所定の繰り返しピットパターンを用いてフォーカシングサーボ制御とトラッキングサーボ制御を行い、上記固有識別データを上記第２の記録領域から読み出す請求項８記載の光ディスクの記録及び／又は再生方法。
【請求項１５】
上記方法は、上記ヘッド部が上記第１の記録領域を走査しているときには上記ヘッド部から抽出された上記フレーム同期信号に基づいて上記回転駆動部を制御した後に、上記ヘッド部からの出力信号から検出されたクロック信号に基づく制御を行う請求項８記載の光ディスクの記録及び／又は再生方法。
【請求項１６】
回転駆動部によって回転駆動された、フレーム同期信号とデータがピットとランドからなるピットパターンによって記録された第１の記録領域と、ピットとランドからなる所定の繰り返しピットパターンが予め形成され、光ディスク単体を識別する固有識別データが記録される第２の記録領域とを有し、アドレスデータが記録されている光ディスクをヘッド部によって走査し、
上記ヘッド部が上記第１の記録領域を走査しているときには上記フレーム同期信号を用いて第１の回転制御モードで上記回転駆動部を制御し、
上記ヘッド部が上記第２の記録領域を走査しているときには上記所定の繰り返しピットパターンを用いて第２の回転制御モードで上記回転駆動部を制御する光ディスクの回転制御方法。
【請求項１７】
上記方法は、上記ヘッド部によって上記光ディスクから読み出されたアドレスデータに基づいて上記ヘッド部が第１の記録領域と第２の記録領域のいずれの領域を走査しているかを判別し、上記判別した結果に基づいて上記第１の回転制御モードと第２の回転制御モードとを切り換える請求項１６記載の光ディスクの回転制御方法。
【請求項１８】
上記方法は、上記ヘッド部によって上記光ディスクから読み出されたアドレスデータに基づいて上記第１の回転制御モードから上記第２の回転制御モードに切り換える上記回転駆動部の回転制御モード切換位置か否かを判別し、上記判別の結果上記切換位置であったときには、上記第２の回転制御モードに切り換える請求項１７記載の光ディスクの回転制御方法。
【請求項１９】
上記方法は、上記第２の回転制御モードのとき、上記ヘッド部によって読み出された上記所定の繰り返しピットパターンを検出した出力信号から反転間隔を検出し、検出された反転間隔の値に基づいて上記第２の回転制御モードにおける上記回転駆動部の制御を行う請求項１８記載の光ディスクの回転制御方法。
【請求項２０】
上記方法は、上記切換位置でなかったときには上記回転駆動部を上記第１の回転制御モードで制御する請求項１８記載の光ディスクの回転制御方法。
【請求項２１】
上記方法は、上記ヘッド部が上記第１の記録領域を走査しているときには上記ヘッド部から抽出された上記フレーム同期信号に基づいて上記回転駆動部を制御した後に、上記ヘッド部からの出力信号から検出されたクロック信号に基づく制御を行う請求項１６記載の光ディスクの記録及び／又は再生方法。
【発明の詳細な説明】
【０００１】
技術分野
本発明は、コンテンツデータが記録された第１の領域と記録媒体の固有識別データが記録された第２の領域とを備えた光ディスクの記録及び／又は再生装置に関し、更にはその光ディスクの記録及び／又は再生方法に関し、特に、光ディスクの第１の領域と第２の領域とで回転制御を異ならせるようにした光ディスクの記録及び／又は再生装置及び記録及び／又は再生方法に関する。
【０００２】
背景技術
例えば、コンパクトディスク（以下、ＣＤという。）は、３２個のシンボルで１フレーム（５８８チャネルビット）を構成し、各フレームの先頭には、フレームの先頭を検出するためのフレーム同期信号が格納されている。ＣＤでは、記録されるデータが８−１４変調（Eight to Fourteen Modulation）され、このＥＦＭでは、最大ランレングスが１０となっている。このため、フレーム同期信号は、ＥＦＭのパターンに無いパターン、具体的に１１Ｔ、１１Ｔ’（’は反転を示す。）、２Ｔ（１００００００００００１００００００００００１０）のパターンで構成されている。この同期信号は、再生時において、ＣＤをＣＬＶ（Constant Linear Velocity）で回転するための回転サーボ制御にも用いられる。すなわち、同期信号中１１Ｔ、１１Ｔ’のパターンは、ＥＦＭの最大ランレングス（１１）と同じく、ＣＤに記録された信号中最も長いパターンである。このため、回転サーボ制御部は、このパターンを検出し、基準クロックを用いてこの部分の長さを計測し、この計測値が基準時間長と一致するようにＣＤの回転速度の調整を行い、ＰＬＬ（Phase Locked Loop）制御を行う。
【０００３】
ＣＤやディジタル・バーサタイル・ディスク（以下、ＤＶＤという。）等の光ディスクには、シリアル番号等の固有識別データが記録されたものがある。この固有識別データは、例えば、他のデータと同調の変調方式で所定の領域に記録されている。固有識別データは、他のデータの再生時と同様、例えばＣＬＶで回転されている光ディスクより読み出される。この固有識別データは、光ディスクを識別するために用いる他に、例えばこの固有識別データを読み出したときに限って、コンテンツデータの再生を可能にする再生制限データとして用いることもできる。
【０００４】
ところで、ＣＤ、ＤＶＤ等のコンテンツデータが記録された光ディスクは、ディジタルデータが記録されたものであり、光ディスクから読み出されたデータの劣化を伴うことなく容易に他の記録媒体に複写することが可能である。したがって、固有識別データをコンテンツデータの再生制限データとして用いるシステムであっても、記録可能メディアにそのままコンテンツデータが複写されたときには、固有識別データも他のデータと同様に複写されてしまう。したがって、不正にコンテンツデータが複写された光ディスクにも、固有識別データが記録されることになり、結果として、同システムにおいて、再生機器は、不正にコンテンツデータが複写された光ディスクから固有識別データを読み出すことができ、不正に複写された光ディスクの再生が可能となってしまう。このように、不正にコンテンツデータデータが複写されたときには、著作権者の利益が害されてしまう。
【０００５】
そこで、光ディスクには、記録領域の一部に固有識別データを記録する識別データ記録領域を設けたものがある。この識別データ記録領域は、反転間隔が同じピットパターンが設けられ、このピットパターンに重畳するように反射膜に固有識別データが熱記録される。
【０００６】
識別データ記録領域に記録された固有識別データの読み出しを行うとき、光ディスクの回転を制御する回転サーボ制御部は、反転間隔の同じピットパターンをフレーム同期信号とみなしてしまい、正規の回転速度で光ディスクを回転することができなくなってしまう。
【０００７】
発明の開示
本発明の目的は、第２の領域に、第１の領域の同期信号パターンに含まれないパターンが設けられた記録媒体の回転サーボ制御を行うとき、回転サーボ制御を第１の領域と第２の領域とで異ならせることで、何れの領域にアクセスしているときにも、確実にデータの記録及び／又は再生することを可能とする光ディスクの記録及び／又は再生装置及び記録及び／又は再生方法を提供することにある。
【０００８】
上記のような目的を達成するために提案される本発明に係る光ディスクの記録及び／又は再生装置は、フレーム同期信号とデータがピットとランドからなるピットパターンによって記録された第１の記録領域と、ピットとランドからなる所定の繰り返しピットパターンが予め形成され、光ディスク単体を識別する固有識別データが記録される第２の記録領域とを有し、アドレスデータが記録されている光ディスクを回転駆動する回転駆動部と、上記光ディスクに光ビームを照射し、上記光ディスクを走査するヘッド部と、上記ヘッド部が上記第１の記録領域を走査しているときには上記フレーム同期信号を用いて第１の回転制御モードで上記回転駆動部を制御し、上記ヘッド部が上記第２の記録領域を走査しているときには上記所定の繰り返しピットパターンを用いて第２の回転制御モードで上記回転駆動部を制御する制御部を備えている。
【０００９】
本発明に係る光ディスクの記録及び／又は再生方法は、回転駆動部によって回転駆動された、フレーム同期信号とデータがピットとランドからなるピットパターンによって記録された第１の記録領域と、ピットとランドからなる所定の繰り返しピットパターンが予め形成され、光ディスク単体を識別する固有識別データが記録される第２の記録領域とを有し、アドレスデータが記録されている光ディスクをヘッド部によって走査し、上記ヘッド部が上記第１の記録領域を走査しているときには上記フレーム同期信号を用いて第１の回転制御モードで上記回転駆動部を制御し、上記ヘッド部が上記第２の記録領域を走査しているときには上記所定の繰り返しピットパターンを用いて第２の回転制御モードで上記回転駆動部を制御する。
【００１０】
本発明は、光ディスクの回転制御方法であり、回転駆動部によって回転駆動された、フレーム同期信号とデータがピットとランドからなるピットパターンによって記録された第１の記録領域と、ピットとランドからなる所定の繰り返しピットパターンが予め形成され、光ディスク単体を識別する固有識別データが記録される第２の記録領域とを有し、アドレスデータが記録されている光ディスクをヘッド部によって走査し、上記ヘッド部が上記第１の記録領域を走査しているときには上記フレーム同期信号を用いて第１の回転制御モードで上記回転駆動部を制御し、上記ヘッド部が上記第２の記録領域を走査しているときには上記所定の繰り返しピットパターンを用いて第２の回転制御モードで上記回転駆動部を制御する。
【００１１】
本発明の更に他の目的、本発明によって得られる具体的な利点は、以下において図面を参照して説明される実施の形態の説明から一層明らかにされるであろう。
発明を実施するための最良の形態
以下、本発明が適用されたデータ記録媒体、データ記録装置及び記録方法について、図面を参照して説明する。
【００１２】
本発明が適用された光ディスクは、再生専用の光ディスクであって、図１に示すように、この光ディスク１は、内周側に、ＴＯＣ（Table Of Contents）データ等が記録されるリードイン領域２が設けられている。光ディスク１のリードイン領域の外周側には、コンテンツデータ等のデータが記録されるプログラム領域３が設けられている。光ディスク１のプログラム領域３の外周側には、リードアウト領域４が設けられている。
【００１３】
リードイン領域２には、ＴＯＣデータ等が記録されている。このリードイン領域２には、識別データ記録領域５が設けられている。識別データ記録領域５は、リードイン領域２中に設けられることで、ＴＯＣデータ等の読み出しに連続して、固有識別データを読み出すことができる。この識別データ記録領域５には、光ディスク単体を識別するための固有識別データが記録されている。この固有識別データは、光ディスク１の頒布登録を行うための記録媒体番号データ、製造装置を特定するための製造装置ＩＤデータ、著作権の所有者や管理者を特定するための著作権ＩＤデータ等の他に、プログラム領域３に記録されるコンテンツデータに関連したウェブページにアクセスするためのＵＲＬ（Uniform Resource Locator）等のデータである。
【００１４】
プログラム領域３は、楽曲データ、映画データ、画像データ、動画データ、ゲームソフト、コンピュータプログラムデータ等のコンテンツデータが記録されている。このプログラム領域３は、例えば、ＣＤよりも高い記録密度、例えば２倍の記録密度でデータが記録されている。なお、プログラム領域３に記録されるデータは、暗号化されていてもよい。
【００１５】
なお、この光ディスク１では、識別データ記録領域５を、リードイン領域２の内周側に設けるようにし、他の再生装置では、識別データ記録領域５にアクセスすること、即ち識別データ記録領域に記録されているデータを読み出すことができないようにしてもよい。光ディスク１の外周側から読み出しを開始するときには、識別データ記録領域５を、リードアウト領域４に設けるようにしてもよい。このとき、他の再生装置では識別データ記録領域５にアクセスすることができないようにするため、識別データ記録領域５を、リードアウト領域４の更に外周側に設けるようにしてもよい。
【００１６】
光ディスク１は、図２に示すように構成してもよい。この光ディスク１１は、２つのセッションが設けられており、内周側に、第１のセッション１２が設けられ、第１のセッション１２の外周側に第２のセッション１３が設けられている。第１のセッション１２と第２のセッション１３との間には、第１のセッション１２と第２のセッション１３の境界となるミラー領域１５が設けられている。
【００１７】
第１及び第２のセッション１２，１３は、内周側に後述する各セッション１２，１３のプログラム領域に記録されるデータのＴＯＣデータ等が記録されるリードイン領域１２ａ，１３ａが設けられている。これらリードイン領域１２ａ，１３ａの外周側には、プログラムが記録されるプログラム領域１２ｂ，１３ｂが設けられている。これらプログラム領域１２ｂ，１３ｂの外周側には、リードアウト領域１２ｃ，１３ｃが設けられている。この光ディスク１１は、第２のセッション１３が第１のセッション１２よりも記録密度が高くなるように、例えば記録密度が２倍となるようにデータが記録されている。
【００１８】
例えば、第１のセッション１２のプログラム領域１２ｂには、ＣＤやＤＶＤ等で採用されている既存の記録フォーマットで広告データ等が記録され、第２のセッション１３のプログラム領域１３ｂには、広告データの対象となっているコンテンツデータが新規な記録フォーマットで例えば暗号化されて記録されている。第１のセッション１２のプログラム領域１２ｂには、通常の音質、例えばＣＤやＤＶＤと同じ音質のオーディオデータが記録され、第２のセッション１３のプログラム領域１３ｂには、高音質のオーディオデータが記録されている。すなわち、この光ディスク１１では、第２のセッション１３の方が第１のセッション１２より価値の高いデータが記録される。第２のセッション１３のリードイン領域１３ａには、第２のセッション１３のアドレス情報等のＴＯＣデータの他に、プログラム領域１３ｂに暗号化されて記録されているコンテンツデータの暗号鍵データが記録されている。
【００１９】
このリードイン領域１３ａには、この光ディスクの識別データが記録される識別データ記録領域１４が設けられている。識別データ記録領域１４を、リードイン領域１３ａ中に設けることで、リードイン領域１３ａに記録されたＴＯＣデータの読み出しに連続して固有識別データを読み出すことができる。この固有識別データは、光ディスク１１の頒布登録を行うための記録媒体番号データ、製造装置を特定するための製造装置ＩＤデータ、著作権の所有者や管理者を特定するための著作権ＩＤデータ等の他に、プログラム領域３に記録されるコンテンツデータに関連したウェブページにアクセスするためのＵＲＬ等である。
【００２０】
この識別データ記録領域１４は、第２のセッション１３のリードイン領域１３ａの他、第１のセッション１２のリードイン領域１２ａ若しくはリードイン領域１２ａの内周側又はリードアウト領域１２ｃ若しくはリードアウト領域１２ｃの外周側に設けるようにしてもよい。識別データ記録領域１４は、第２のセッション１３のリードイン領域１３ａの内周側又はリードアウト領域１３ｃ若しくはリードアウト領域１３ｃの外周側に設けるようにしてもよい。
【００２１】
ここで、以上のようなデータが記録される光ディスク１，１１の識別データ記録領域５，１４以外の領域の記録フォーマットについて図３を用いて説明する。図３に示すように、１フレームは、先頭１．７バイトがフレーム同期信号となるフレーム同期信号部とされ、次いで、１バイトがサブコードデータとなるサブコードデータ部とされ、次いで、３２バイトがデータ領域とされる。このデータ領域は、１２バイトのデータ領域とこれに次ぐ４バイトのパリティとを２回繰り返して構成されている。ここで、フレーム同期信号部は、具体的に、１１Ｔ、１１Ｔ’（’は反転を示す。）、２Ｔ（１００００００００００１００００００００００１０）のパターン信号、即ちフレーム同期信号から構成されている。
【００２２】
このようなフレーム同期信号では、ＥＦＭの最大ランレングスが１１Ｔであることから、再生装置でのフレーム同期信号の検出を容易に行うことができるように、これと同じ長さの１１Ｔ、１１Ｔ’のパターンを用いるようにしている。光ディスク１は、リードイン領域２、プログラム領域３、リードアウト領域４とに亘って、図３に示す記録フォーマットで記録され、光ディスク１１は、第１のセッション１２、第２のセッション１３とに亘って、図３に示す記録フォーマットで記録されている。
【００２３】
光ディスク１，１１の識別データ記録領域５，１４には、３Ｔ、３Ｔ’のピットパターンが設けられている。識別データ記録領域５，１４には、３Ｔ、３Ｔ’のピットパターンの記録トラック上又は記録トラック間に、所定のピット長の固有識別データが重畳して記録される。
【００２４】
以上のような記録フォーマットは、一例に過ぎず、各領域のバイト数や配置は任意に設定することができる。
【００２５】
ところで、光ディスク１，１１は、基本的に再生専用の記録媒体であり、識別データ記録領域５，１４を除いて記録すべきデータに対応した凹凸パターンとして複数のピットからなるピットパターンが設けられている。固有識別データは、同じ長さのピット部とランド部を繰り返して構成されたピットパターン、具体的には３Ｔ、３Ｔ’のピットとランドの繰り返しのピットパターンが設けられた識別データ記録領域５，１４の反射膜に熱記録される。この場合、同じ長さのピット部とランド部の繰り返しにより構成されたピットパターンは、識別データを記録領域５，１４に記録するときの記録用のレーザ光のガイドとしての機能を果たす。
【００２６】
ここで、この光ディスク１，１１の製造方法について説明すると、図４に示すように、レジスト塗布工程２１では、ガラス原盤にフォトレジストを塗布する。次いで、カッティング工程２２では、ガラス原盤に塗布されたフォトレジストにレーザ光を照射し記録すべきデータに応じた凹凸のピットパターンに対応する潜像をフォトレジストに形成する。次いで、フォトレジストにピットパターンに対応する潜像が形成されたカッティング原盤は、現像及び定着工程２３において、フォトレジストが現像処理され定着処理がされる。この後、金属原盤作製工程２４では、表面に無電解めっきが施されてマザー盤である金属原盤が作製される。次に、スタンパ作製工程２５では、金属原盤を元にしてスタンパが製造される。基板形成工程２６では、工程２５で作製されたスタンパを射出成型機の成形金型内に取り付け、金型内にポリカーボネートやアクリル等の透明樹脂が射出されることによりディスク基板が成型される。
【００２７】
以上の工程で作製されたディスク基板には、カッティング工程２２で原盤に形成されたピットパターンが転写される。次いで、反射膜形成工程２７では、ディスク基板のピットパターンが形成された面に金属材料をスパッタや蒸着等により被着させることによって反射膜が形成される。光ディスク１，１１は、この反射膜を利用して光ディスク１，１１の識別データ記録領域５，１４に固有識別データが熱記録される。
【００２８】
ここで、光ディスク１，１１に形成される反射膜の材料は、固有識別データを記録するため、データの記録を可能とする材料により形成する必要がある。光ディスク１，１１に用いられる反射膜は、ＣＤやＤＶＤに用いられる反射膜と同程度の反射率若しくは従来より用いられている光ピックアップで読み出し可能な反射率を有しながら、光ビームとしてのレーザ光を用いた熱記録によって反射率が変化するような材料により形成される。すなわち、反射膜は、レーザ光を用いた熱記録によって読み出し用の光ビームに対する反射率が約０．５％以上１０％以下の範囲で変化する特性を有する金属膜によって形成される。具体的には、反射膜は、アルミニウムにゲルマニウムを微量混入させたアルミニウム合金により形成される。
【００２９】
保護膜塗布工程２８では、反射膜形成工程２７によって形成された反射膜上に紫外線硬化型樹脂をスピンコートによって塗布した後、紫外線を照射することによって保護膜が形成される。このように形成された光ディスク１，１１は、保護膜が形成された面側とは反対側の面側から光ビームとしてのレーザ光が照射されることにより光ディスク１，１１に対するデータの再生と識別データの記録が行われる。この後、識別データ記録工程２９では、光ディスク１，１１の識別データ記録領域５，１４に固有識別データが記録される。工程２９では、識別データを記録するために再生時よりも出力レベルの高いレーザ光が記録する識別データによって変調され、前述した３Ｔ、３Ｔ’の繰り返しパターン上に又は３Ｔ、３Ｔ’の繰り返しパターンに沿って記録される。このとき、反射膜は、記録用のレーザ光によって変成される。
【００３０】
ここで、カッティング工程２２で、記録すべきデータに応じた凹凸のピットパターンをカッティングし原盤を作製するカッティング装置３１について説明する。このカッティング装置３１は、図５に示すように、記録すべきコンテンツデータを生成するコンテンツ生成部３２と、アドレス情報等のサブコードデータを生成するサブコード生成部３３と、コンテンツ生成部３２から出力されたデータとサブコード生成部３３から出力されたデータとを加算し記録すべきデータを生成する第１のデータ生成部３４と、固有識別データが記録される識別データ記録領域５，１４を構成する３Ｔ、３Ｔ’のデータを生成する第２のデータ生成部３５と、レーザ光を出射するレーザ源３６と、レーザ光を第１及び第２のデータ生成部３４，３５からのデータに基づいて変調する光変調部３７と、第１のデータ生成部３４からの出力と第２のデータ生成部３５からの出力を選択的に光変調部３７に供給する切換部３８と、切換部３８を切換制御する切換制御部３９と、変調されたレーザ光を反射するミラー４０と、ミラー４０を可動する可動機構と、ミラー４０によって反射されたレーザ光を集光し、ガラス原盤４５に照射する対物レンズ４２と、対物レンズ４２をこの対物レンズの光軸と平行な方向に駆動する対物レンズ駆動部４３と、ガラス原盤４５を回転する駆動部となるモータ４４と、モータ４４を制御する制御部４６とを備える。
【００３１】
コンテンツ生成部３２は、光ディスク１のプログラム領域３や光ディスク１１の第１及び第２のセッション１２，１３のプログラム領域１２ｂ，１３ｂに記録すべきコンテンツデータが入力されたとき、このコンテンツデータをクロスインターリーブ・リード・ソロモン符号化（Cross Interleave Reed-Solomon Code；ＣＩＲＣ）のアルゴリズムを用いてサンプルにクロスインターリーブと４次のリード・ソロモン符号の組み合わせによる符号化を施し、次いで、ＥＦＭ（Eight to Fourteen Modulation）のアルゴリズムに従って変調処理を施す。コンテンツ生成部３２は、光ディスク１のプログラム領域３に記録するコンテンツデータや光ディスク１１の第２のセッション１３のプログラム領域１３ｂに記録されるコンテンツデータが入力されたとき、暗号鍵データを用いて、コンテンツデータを暗号化し、次いで、ＣＩＲＣ等のエラー訂正符号化処理を施し、次いで、ＥＦＭ等の変調処理を行う。なお、ここで行う変調処理は、ＥＦＭに限定されるものではなく、例えば８−１６変調に基づく処理であってもよく、この他の変調方式であってもよい。
【００３２】
サブコード生成部３３は、光ディスク１，１１のＴＯＣデータやサブコードデータ等を生成し、第１のデータ生成部３４に出力する。第１のデータ生成部３４は、コンテンツ生成部３２より入力されたデータとサブコード生成部３３より入力されたデータとを加算し、ガラス原盤４５に記録すべきデータを生成する。第１のデータ生成部３４は、記録すべきデータを切換部３８を介して光変調部３７に供給する。
【００３３】
第２のデータ生成部３５は、識別データ記録領域５，１４に記録するための３Ｔ、３Ｔ’のピットとランドが繰り返されるピットパターンを形成するデータを生成する。この識別データ記録領域５，１４に設けられるピットパターンは、データとして意味をなすデータではなく、専ら固有識別データを記録する際のレーザ光のガイド、回転サーボ制御やトラッキングサーボやフォーカシングサーボをかけるために用いられる。
【００３４】
なお、この第２のデータ生成部３５は、ＥＦＭの変調パターンに含まれないパターンとして、３Ｔ、３Ｔ’の繰り返しのピットパターンを構成するデータの他、２Ｔ、３Ｔ、９８Ｔの繰り返しのピットパターンを構成するデータを生成するようにしてもよい。第２のデータ生成部３５は、ＥＦＭに含まれるパターンのデータを生成するようにしてもよい。
【００３５】
切換部３８は、第１のデータ生成部３４から出力されたコンテンツデータ、サブコードデータ等のデータと第２のデータ生成部３５から出力された３Ｔ、３Ｔ’のピットとランドの繰り返しのデータとを選択的に光変調部３７に出力することができるようにする。この切換部３８は、切換制御部３９によって制御されるものであり、この切換制御部３９は、識別データ記録領域５，１４に３Ｔ、３Ｔ’のピットとランドの繰り返しからなるピットパターンを記録するときに限って、切換部３８の切換子３８ｃを、第２のデータ生成部３５からのデータを光変調部３７に出力するように接点３８ｂに切り換え、これ以外のときは、切換部３８の切換子３８ｃを、第１のデータ生成部３４からのデータを光変調部３７するように設定３８ａに切り換える。
【００３６】
上述したレーザ源３６には、アルゴンレーザ、Ｈｅ−Ｃｄレーザ等のガスレーザが用いられる。光変調部３７としては、ポッケルス効果を用いるＥＯＭ（Electorical Optical Modulator）や超音波を用いるＡＯＭ（Acoustic-Optical Modulator）等が用いられる。モータ４４は、制御部４６によって、例えばガラス原盤４５を回転する回転軸からの光ビームの距離に基づいて線速度が一定となるように回転制御される。
【００３７】
次に、以上のようなカッティング装置３１がガラス原盤４５にデータを記録する動作について図６を参照して説明する。
【００３８】
先ず、ステップＳ１において、切換制御部３９は、レーザ光源３６から出射されたレーザ光による記録位置が識別データ記録領域５，１４に相当する位置であるかどうかを判断する。例えば、レーザ光源３６から出射されたレーザ光に対してガラス原盤４５とモータ４４を原盤４５の径方向へ移動させる場合には、レーザ光を基準としてガラス原盤４５の移動量を検出する検出機構等を設け、この検出機構からの出力信号に基づいて制御部４６が記録位置を求める。切換制御部３９は、判別の結果、現在の記録位置が識別データ記録領域５，１４に相当する位置でないとき、ステップＳ２に進み、判別の結果、現在の記録位置が識別データ記録領域５，１４に相当する位置であるとき、ステップＳ３に進む。
【００３９】
ステップＳ１で、識別データ記録領域５，１４に相当する位置でないと判別されたとき、ステップＳ２に進み、切換制御部３９は、第１のデータ生成部３４で生成されたデータをガラス原盤４５に記録するため、切換部３８の切換子３８ｃを、第１のデータ生成部３４と光変調部３７とを接続するように接点３８ａに切り換える。コンテンツ生成部３２は、コンテンツ生成部３２に記録すべきコンテンツデータが入力されると、このコンテンツデータのエラー訂正符号化処理、ＥＦＭ変調処理等を行う。コンテンツ生成部３２は、所定の処理を施したデータを第１のデータ生成部３４に出力する。サブコード生成部３３は、アドレス情報等を生成し、第１のデータ生成部３４に出力する。第１のデータ生成部３４は、コンテンツ生成部３２とサブコード生成部３３からのデータを加算し、記録すべきデータを生成する。そして、第１のデータ生成部３４は、記録すべきデータを切換部３８を介して光変調部３７に供給する。
【００４０】
ステップＳ１で、識別データ記録領域５，１４に相当する位置であると判別されたとき、ステップＳ３において、切換制御部３９は、切換部３８の切換子３８ｃを、第２のデータ生成部３５と光変調部３７とを接続するように接点３８ｂに切り換える。第２のデータ生成部３５は、識別データ記録領域５，１４に相当する位置に記録する３Ｔ、３Ｔ’のピットとランドの繰り返しのピットパターンとなるデータを生成する。第２のデータ生成部３５は、記録すべきデータを、切換部３８を介して光変調部３７に出力する。
【００４１】
一方、レーザ源３６から出射されたレーザ光は、光変調器３７に入力される。光変調器３７は、第１及び第２のデータ生成部３４，３５から入力されたデータに基づいて、レーザ光を変調する。すなわち、光変調器３７は、光ディスク１１の第１のセッション１２にデータを記録するとき、標準的な記録密度、すなわち従来のＣＤと同じ記録密度で記録するときには、レーザ光とガラス原盤４５をトラックピッチが例えば１．６μｍとなるように相対的に移動させ、レーザ光はＣＤと同じフォーマットで変調される。光ディスク１１の第２のセッション１３や光ディスク１にデータを記録するとき、記録密度が第１のセッション１２よりも高くなるように記録する。例えば、レーザ光とガラス原盤４５をトラックピッチが１．６μｍよりも狭い１．１μｍとなるように移動させ、レーザ光をＣＤとは異なるフォーマットで変調される。
【００４２】
光変調器３７で変調されたレーザ光は、ミラー４０に入射される。ミラー４０によって変調器３７からのレーザ光の光路を９０°折り曲げる。ミラー４０によって光路が折り曲げられたレーザ光は、対物レンズ４２により集光され、回転駆動部であるモータ４４により回転されフォトレジストが塗布されたガラス原盤４５に照射される。このとき、対物レンズ４２は、対物レンズ駆動部４３によりレーザ光の光軸方向に駆動変位され、フォーカス制御がされる。前述したように、ガラス原盤４５は、モータ４４とともに対物レンズ４２から集光されたレーザ光に対して当該ガラス原盤４５の径方向に移動させることによって、ガラス原盤４５のフォトレジスト上に螺旋状の記録トラックが形成される。
【００４３】
スタンパは、以上のようなカッティング装置３１によって形成されたガラス原盤４５を元にして図４に示す工程に従って形成される。このように、カッティング装置３１によって形成されたスタンパを用いて固有識別データが記録される前の光ディスク１，１１は、ＣＤ、ＤＶＤ等の既存の光ディスクとほぼ同様な方法で製造することができる。
【００４４】
ここで、光ディスク１，１１に識別データ記録領域５，１４が設けられた状態を具体的に説明すると、図７に示すように、光ディスク１のリードイン領域２の識別データ記録領域５や光ディスク１１のリードイン領域１３ａの識別データ記録領域１４は、３ＴのピットＰと、３ＴのランドＬが繰り返されたピットパターンが設けられる。識別データ記録領域５，１４には、記録トラック上又は記録トラック間の反射膜に、固有識別データがレーザ光を用いて熱記録される。識別データ記録領域５，１４の前後には、ＥＦＭされたデータのパターンが記録される。
【００４５】
以上のような光ディスク１，１１は、例えばレコード会社等によって、識別データ記録領域５，１４に固有識別データが記録される。ここで、以上のようにして製造された光ディスク１，１１の識別データ記録領域５，１４に固有識別データを記録するデータ記録装置５１について、図８を参照して説明する。
【００４６】
このデータ記録装置５１は、固有識別データにエラー訂正符号化処理を施すエラー訂正符号化部５２と、エラー訂正符号化処理がされた固有識別データに対して変調処理を施す変調部５３と、光ディスク１，１１に記録するための信号処理を行う記録処理部５４と、光ディスク１，１１に光ビームを照射し、固有識別データを熱記録する光ピックアップ５５と、光ディスク１，１１を例えばＣＬＶ（Constant Linear Velocity）で回転するモータ５６と、ＲＦ信号等を生成するＲＦアンプ５７と、光ピックアップ５５のフォーカシング制御、トラッキング制御やモータ５６の回転制御を行うサーボ制御部５８と、固有識別データを識別データ記録領域５，１４に記録するように装置５１の全体を制御する制御部５９とを備える。
【００４７】
エラー訂正符号化部５２は、固有識別データにエラー訂正符号化処理を施し、変調部５３に出力する。変調部５３は、エラー訂正符号化部５２より入力されたデータに対して変調処理を施す。具体的に、変調部５３は、位相変調（ＰＥ：Phase Encoding）を行う。すなわち、変調部５３は、図９Ａに示すように、入力データが「１」のとき、変調データのビット中央が立ち上がり、入力データが「０」のとき、変調データのビット中央が立ち下がり、同じ符号が続くとき、ビットの境界でもう一度反転するように、入力データの変調処理を行う。
【００４８】
なお、変調部５３は、入力データをバイフェーズマーク（Bi-phase mark）変調処理するようにしてもよい。すなわち、変調部５３は、図９Ｂに示すように、入力データが「１」のとき、「０１」又は「１０」に変調し、入力データが「０」のとき、「００」又は「１１」に変調する。「０１」、「１０」の選択又は「００」、「１１」の選択は、前の変調データが「１」のとき、「０１」、「００」にし、前の変調データが「０」のとき、「１０」、「１１」にする。
【００４９】
かくして、エラー訂正符号化部５２より入力された識別データを、ＰＥ又はバイフェーズマーク変調により変調した変調部５３は、変調された固有識別データを記録処理部５４に出力する。記録処理部５４は、変調部５３から出力された固有識別データに記録処理を行い、光ピックアップ５５に出力する。
【００５０】
光ピックアップ５５は、光ビームを出射する半導体レーザ、この半導体レーザより出射された光ビームを集束する対物レンズ、光ディスク１，１１の反射膜で反射された戻りの光ビームを検出する光検出器等を備える。半導体レーザより出射された光ビームは、対物レンズにより集束され、光ディスク１，１１の信号記録面に照射される。ここで、半導体レーザは、識別データの書き込みを行うとき、光ディスク１，１１の反射膜にデータを熱記録することができるように、読み出し時より高レベルの光ビームを出射する。例えば、光ピックアップ５５は、「１」を記録するとき、高出力の光ビームを識別データ記録領域５，１４に照射し、「０」を記録するとき、高出力の光ビームを識別データ記録領域５，１４に照射しない。光ディスク１，１１の信号記録面で反射された戻りの光ビームは、光検出器により光電変換される。光検出器からの出力信号は、ＲＦアンプ５７に出力する。対物レンズは、２軸アクチュエータ等の対物レンズ駆動機構によって保持され、対物レンズの光軸と平行なフォーカシング方向及び対物レンズの光軸に直交するトラッキング方向に駆動変位される。モータ５６は、光ディスク１，１１に固有識別データを記録するとき、光ディスク１，１１を例えばＣＬＶで回転する。
【００５１】
ＲＦアンプ５７は、光ピックアップ５５を構成する光検出器からの出力信号に基づいて、ＲＦ信号、フォーカスエラー信号及びトラッキングエラー信号を生成する。例えば、フォーカスエラー信号は、所謂非点収差を用いる方法により生成され、トラッキングエラー信号は、所謂３ビーム法や所謂プッシュプル法により生成される。ＲＦアンプ５７は、アドレス情報等を抽出するためＲＦ信号を制御部５９に供給し、フォーカスエラー信号及びトラッキングエラー信号をサーボ制御部５８に供給する。すなわち、固有識別データの記録時において、識別データ記録領域５，１４に設けられた３Ｔ、３Ｔ’のパターンは、データとして意味をなすものではなく、前述したように識別データを記録するレーザ光の専らフォーカシングサーボ信号とトラッキングサーボ信号を生成するために、すなわち光ビームのガイドのために用いられる。
【００５２】
サーボ制御部５８は、光ディスク１，１１に固有識別データを記録する際のサーボ信号を生成する。具体的に、サーボ制御部５８は、フォーカスエラー信号に基づきフォーカシングサーボ信号を生成し、トラッキングエラー信号に基づきトラッキングサーボ信号を生成する。サーボ制御部５８は、フォーカシングサーボ信号及びトラッキングサーボ信号を光ピックアップ５５を構成する対物レンズ駆動機構の駆動回路に供給する。この駆動回路は、フォーカシングサーボ信号に基づき対物レンズを対物レンズの光軸と平行なフォーカシング方向に駆動変位させ、トラッキングサーボ信号に基づき対物レンズを対物レンズの光軸に直交するトラッキング方向に対物レンズを駆動変位させる。
【００５３】
サーボ制御部５８には、ＣＬＶで光ディスク１，１１を回転するようにモータ５６を制御するため、クロック信号等が入力される。サーボ制御部５８は、識別データ記録領域５，１４以外の領域のデータの読み出しを行うとき、ＰＬＬ（Phase Locked Loop）がロックするまでのラフな回転サーボ制御を行い、ＰＬＬがロックすると、通常の回転サーボ制御を行う。すなわち、識別データ記録領域５，１４以外のデータを読み出すとき、サーボ制御部５８は、回転開始時等において、信号のパルス幅の最大値、最小値より最大反転間隔を検出し、これをフレーム同期信号（１１Ｔ、１１Ｔ’）とし、基準時間長とフレーム同期信号の最大反転間隔とが一致するようなラフな回転制御を行い、ＰＬＬがロックすると、通常の回転サーボ制御、即ち、ＲＦ信号から抽出されたクロック信号と基準となるクロック信号の位相を比較した結果を用いてモータ５６の回転サーボ制御を行う。サーボ制御部５８は、光ピックアップ５で光ディスク１，１１のリードイン領域からアドレス情報等のＴＯＣデータを読み出し、識別データ記録領域５，１４を特定することができる。
【００５４】
サーボ制御部５８は、固有識別データを識別データ記録領域５，１４に記録するとき、識別データ記録領域５，１４が３Ｔ、３Ｔ’のピットとランドが繰り返されたピットパターンで構成されているため、他の領域と同様な方法を用いて同期信号を検出することができない。すなわち、識別データ記録領域５，１４以外の領域で行う上述したフレーム同期信号を用いる回転サーボ制御を行うと、サーボ制御部５８は、３Ｔ、３Ｔ’のパターンを１１Ｔ、１１Ｔ’のパターンとみなしてしまい、回転速度が通常の１／３〜１／４程度に遅くなってしまう。そこで、サーボ制御部５８は、識別データ記録領域５，１４に固有識別データを記録するとき、例えば３Ｔ、３Ｔ’のピットとランドの所定周期における信号のパルス幅の最大値と最小値より反転間隔を検出し、この値を同期信号として扱い、ラフな回転サーボ制御を行う。なお、サーボ制御部５８は、この他に、例えば自走周波数を用いてラフなサーボ制御を行うようにしてもよい。
【００５５】
制御部５９は、ＲＦアンプ５７より出力されたＲＦ信号よりサブコードデータを抽出する。制御部５９は、アドレス情報等より識別データ記録領域５，１４を特定し、光ピックアップ５５が識別データ記録領域５，１４に固有識別データを記録することができるようになったとき、回転サーボ制御をラフな回転サーボ制御に切り換えるようにサーボ制御部５８に切換信号を出力する。
【００５６】
次に、以上のように構成されたデータ記録装置５１の動作について説明する。
【００５７】
先ず、固有識別データの記録動作が開始すると、モータ５６は、光ディスク１，１１を回転させる。このとき、サーボ制御部５８は、信号のパルス幅の最大値、最小値より最大反転間隔を検出し、この値をフレーム同期信号（１１Ｔ、１１Ｔ’）として取り扱うことにより、又は自走周波数を用いて、ＰＬＬがロックできるまでモータ５６のラフな回転サーボ制御を行う。サーボ制御部５８は、ＰＬＬがロックすると、ＲＦ信号から抽出されたクロック信号を基準となるクロック信号の位相を比較した結果に基づく通常の回転サーボ制御によりモータ５６を制御する。ＲＦアンプ５７は、ＲＦ信号、フォーカスエラー信号、トラッキングエラー信号を生成し、ＲＦ信号を制御部５９に供給し、フォーカスエラー信号、トラッキングエラー信号をサーボ制御部５８に供給する。サーボ制御部５８は、フォーカスエラー信号、トラッキングエラー信号に基づきフォーカシングサーボ信号及びトラッキングサーボ信号を生成し、対物レンズ駆動回路に供給する。これによって、光ピックアップ５５の対物レンズは、フォーカシング方向とトラッキング方向に駆動変位され、レーザ光が光ディスク１，１１の上下動や光ディスク１，１１の偏心に追従して光ディスク１，１１に形成された複数のピットからなる記録トラックを走査する。
【００５８】
光ピックアップ５５は、光ディスク１，１１の内周側からデータの読み出しを開始し、制御部５９は、図１０に示すように、ＲＦ信号よりサブコードデータを抽出し、アドレス情報より識別データ記録領域５，１４の位置を特定する。ステップＳ１１において、制御部５９は、サブコードデータのアドレス情報に基づいて、現在アクセスしている位置、即ち光ピックアップ５５によって走査している位置が識別データ記録領域５，１４の直前のモータ５６の回転サーボ制御の切換位置かどうかを判断する。制御部５９は、回転サーボ制御の切換位置であると判断したとき、ステップＳ１２に進み、回転サーボの切換位置でないと判断したとき、ステップＳ１１を繰り返す。
【００５９】
ステップＳ１１でモータ５６の回転サーボ制御の切換位置であると判別されると、ステップＳ１２に進み、制御部５９は、サーボ制御部５８に、回転サーボ制御をラフな制御に切り換えるように切換信号を出力し、サーボ制御部５８は、供給された切換信号に基づき識別データ記録領域５，１４の直前でラフな回転サーボ制御に切り換わり、このラフな回転サーボ制御のモードでモータ５６を回転駆動する。なお、光ピックアップ５５が識別データ記録領域５，１４にアクセスする時点で回転サーボを切り換えるようにしてもよい。具体的に、サーボ制御部５８は、識別データ記録領域５，１４の３Ｔ、３Ｔ’のピットとランドの繰り返しからなるピットパターンの所定周期におけるパルス幅の最大値、最小値より反転間隔を検出し、この検出された反転間隔を同期信号として取り扱って、モータ５６の回転制御を行う。これは、固有識別データ記録領域５，１４が３Ｔ、３Ｔ’のランドとピットの繰り返されたピットパターンからなり、通常のフレーム同期信号を用いる回転サーボ制御を行うことができないためである。
【００６０】
一方、固有識別データは、エラー訂正符号化部５２でエラー訂正符号化処理が施され、次いで、変調部５３でＰＥ又はバイフェーズコード変調処理がされ、記録処理部５４で記録のための信号処理が施される。光ピックアップ５５は、光ビームの出力を再生時の標準的レベルより高い出力レベルへの切り換えを行って、識別データを識別データ記録領域５，１４に記録する。具体的に光ピックアップ５５は、識別データ記録領域５，１４に「１」を記録するとき、高出力レベルの光ビームとしてのレーザ光を識別データ記録領域５，１４に照射し、「０」を記録するとき、高出力レベルよりも低い、例えば再生時における出力レベルである標準的な出力レベルの光ビームを識別データ記録領域５，１４に照射する。これによって、光ディスク１，１１の識別データ記録領域５，１４の反射膜が変化し、固有識別データが熱記録されることになる。
【００６１】
かくして、識別データ記録領域５，１４には、図１１に示すように、３ＴのピットＰと３ＴのランドＬの繰り返しのピットパターン上に、１ビットの長さが２Ｔ、３Ｔ、９８Ｔ等の固有識別データＤが記録される。識別データＤの１ビット当たりの長さは、固有識別データを安定して読み出すことができるようにするため、長い方がよく、好ましくは９８Ｔとされる。また、９８Ｔのパターンからなる固有識別データは、３Ｔ、３Ｔ’の繰り返しからなる周波数の高いピットパターン上に、９８Ｔと周波数を低くして記録されることから、安定して読み出すことができる。
【００６２】
なお、図１１に示す例は、ピット部Ｐとランド部Ｌからなる記録トラック上に固有識別データＤを記録するものであるが、固有識別データは、記録トラック間に記録するようにしてもよい。図１１に示す例では、ピット部Ｐとランド部Ｌを包含するようにデータＤが形成されているが、ランド部Ｌに高出力レベルのレーザ光を照射し、２つ以上のピット部Ｐが連続するように反射膜を変化させることによって固有識別データＤを記録するようにしてもよい。
【００６３】
以上のように構成された光ディスク１，１１は、識別データ記録領域５，１４が正規でないデータ再生装置では読み出すことができないように、３Ｔ、３Ｔ’のピットとランドの繰り返しからなるピットパターン上に記録されている。したがって、専用の再生装置以外の再生装置で光ディスク１，１１の識別データの記録領域５，１４のデータを再生しようとしたときには、識別データ記録領域５，１４において、フレーム同期信号が得られなくなるので、モータ５６の回転サーボ制御がからなくなり、固有識別データが不正に読み出されることを阻止することができる。
【００６４】
光ディスク１，１１の固有識別データを記録するとき、データ記録装置５１は、識別データ記録領域５，１４以外の領域にアクセスするとき、ＰＬＬを用いた通常の回転サーボ制御を行い、識別データ記録領域５，１４にアクセスするとき、通常の回転サーボ制御よりラフな回転サーボ制御に切り換えることで、識別データ記録領域５，１４のように１１Ｔ、１１Ｔ’のフレーム同期信号が設けられていない領域に、固有識別データを確実に記録することができる。
【００６５】
この光ディスク１、１１は、固有識別データを識別データ記録領域５，１４に設けられた３Ｔ、３Ｔ’のピット部Ｐとランド部Ｌからなるピットパターン上にレーザ光を用いる熱記録によって記録していることから、ディスク基板に設けられた凹凸のピットパターンを不正に転写したときにも、識別データまでが複写されることを防止することができる。例えば、光ディスク１，１１のディスク基板から新たに不正スタンパを作製し、このスタンパを用いて成型された新たなディスク基板には上述した手法により後から記録された識別データまでが転写されていることはない。
【００６６】
次に、以上のように固有識別データが記録された光ディスク１，１１のデータ再生装置６１について、図１２を参照して説明する。このデータ再生装置６１は、光ディスク１，１１を回転するディスク回転駆動部を構成するスピンドルモータ６２と、スピンドルモータ６２により回転されている光ディスク１，１１に光ビームを照射し、光ディスク１，１１によって反射された戻りの光ビームを検出することによりデータの読み出しを行う光ピックアップ６３と、光ピックアップ６３からの出力信号を増幅するＲＦアンプ６４と、フォーカシングとトラッキングサーボ制御を行うサーボ制御部６５と、ＲＦアンプ６４からの出力信号より同期信号を検出する同期信号検出部６６と、同期信号検出部６６によって検出された同期信号に基づいてスピンドルモータ６２の回転制御を行う回転サーボ制御部６７と、ＲＦアンプ６４から出力されたＲＦ信号を復調する復調部６８と、復調部６８から出力された復調されたデータのエラー検出及びエラー訂正処理を行うエラー訂正処理部６９と、処理部６９から出力されたディジタル信号をアナログ信号に変換するＤ／Ａコンバータ７０と、ＲＦアンプ６４から出力されたＲＦ信号よりアドレス情報等のサブコードを抽出するサブコード抽出部７１とを備える。
【００６７】
データ再生装置６１は、サブコード抽出部７１が抽出したサブコードデータのアドレス情報より識別データ記録領域５，１４のアドレス情報を検出する識別データ検出部７２と、固有識別データの出力制御をする切換スイッチ７３と、固有識別データを抽出する識別データ抽出部７４と、識別データ抽出部７４が抽出した固有識別データを復調する識別データ復調部７５と、復調された固有識別データのエラー検出及びエラー訂正処理を行う識別データエラー訂正処理部７６とを備える。
【００６８】
スピンドルモータ６２は、モータ６２の回転軸に取り付けられたディスクテーブル等からなるディスク装着部に装着された光ディスク１，１１を例えばＣＬＶで回転する。光ピックアップ６３は、光ビームを出射する光源としての半導体レーザ、この半導体レーザより出射された光ビームを光ディスク１，１１上に集束する対物レンズ、光ディスク１，１１で反射された戻りの光ビームを検出する光検出器等を備える。半導体レーザより出射された光ビームは、対物レンズにより集束され、光ディスク１，１１の信号記録面に照射される。この場合の信号記録面とは、光ディスク１，１１のピットパターンが形成された面をいう。光ディスク１，１１の反射膜によって反射され戻りの光ビームは、光検出器で検出されるとともに光電変換され、光検出器からの電気信号を検出出力信号としてＲＦアンプ６４に供給する。対物レンズは、図示しないアクチュエータ等の対物レンズ駆動機構に保持され、後述するサーボ制御部６５からのフォーカシングサーボ信号、トラッキングサーボ信号に基づいて対物レンズの光軸と平行なフォーカシング方向及び対物レンズの光軸に直交するトラッキング方向に駆動変位される。この光ピックアップ６３は、図示しない送り機構によって光ディスク１，１１の径方向に移動される。
【００６９】
ＲＦアンプ６４は、光ピックアップ６３の光検出器からの出力信号に基づいて、ＲＦ信号、フォーカスエラー信号及びトラッキングエラー信号を生成する。例えば、フォーカスエラー信号は、所謂非点収差を用いる方法により生成され、トラッキングエラー信号は、所謂３ビーム法やプッシュプル法により生成される。ＲＦアンプ６４は、ＲＦ信号を同期信号検出部６６に供給し、各エラー信号をサーボ制御部６５に供給する。
【００７０】
サーボ制御部６５は、光ディスク１，１１に記録されたデータを読み出す際のサーボ信号を生成する。具体的に、サーボ制御部６５は、ＲＦアンプ６４から供給されるフォーカスエラー信号に基づきフォーカシングサーボ信号を生成し、トラッキングエラー信号に基づきトラッキングサーボ信号を生成する。サーボ制御部６５は、フォーカシングサーボ信号及びトラッキングサーボ信号を光ピックアップ６３の対物レンズ駆動機構に供給する。対物レンズ駆動機構は、供給されたフォーカシングサーボ信号に基づき、対物レンズを対物レンズの光軸と平行なフォーカシング方向に駆動変位させ、供給されたトラッキングサーボ信号に基づき、対物レンズを対物レンズの光軸に直交するトラッキング方向に対物レンズを駆動変位させる。その結果、対物レンズによって集束されたレーザ光は、光ディスク１，１１の面振れや光ディスク１，１１の偏心に追従して光ディスク１，１１の記録トラックを正しく走査する。
【００７１】
同期信号検出部６６は、ＲＦ信号の中からフレーム中の同期信号を検出する。識別データ記録領域５，１４以外の領域では、同期信号は、ＥＦＭの変調パターンに無い１１Ｔ、１１Ｔ’のパターンである。したがって、同期信号検出部６６は、信号のパルス幅の最大値、最小値より最大反転間隔を検出し、検出された最大反転間隔をフレーム同期信号（１１Ｔ、１１Ｔ’）とし、これを回転サーボ制御部６７に出力する。
【００７２】
同期信号検出部６６は、識別データ記録領域５，１４に記録された固有識別データを読み出すとき、３Ｔのピット部とランド部Ｌの所定周期における信号のパルス幅の最大値、最小値より反転間隔を検出し、この検出された反転間隔の値を同期信号とし、回転サーボ制御部６７に出力する。
【００７３】
回転サーボ制御部６７は、ＣＬＶで光ディスク１，１１を回転できるようにスピンドルモータ６２を制御するため、クロック信号等が入力される。そして、回転サーボ制御部６７は、識別データ記録領域５，１４以外の領域のデータの読み出しを行うとき、ＰＬＬ（Phase Locked Loop）がロックするまでのラフな回転サーボ制御を行い、ＰＬＬがロックすると、ＲＦ信号から抽出されたクロック信号と基準となるクロック信号の位相比較の結果に基づく通常の回転サーボ制御を行う。回転サーボ制御部６７は、ラフな回転サーボ制御では基準時間長とフレーム同期信号の最大反転間隔とが一致するような制御を行い、ＰＬＬがロックされる。
【００７４】
回転サーボ制御部６７は、識別データ記録領域５，１４に記録された固有識別データの読み出しを行うとき、識別データ記録領域５，１４が３Ｔ、３Ｔ’のピット部Ｐとランド部Ｌが繰り返されたピットパターンで構成されているため、他の領域と同様に同期信号を検出することができない。すなわち、識別データ記録領域５，１４以外の領域で行う上述したフレーム同期信号を用いた回転サーボ制御を行うと、回転サーボ制御部６７は、３Ｔ、３Ｔ’のパターンを１１Ｔ、１１Ｔ’のパターンとみなしてしまい、光ディスク１，１１の回転速度が通常の１／３〜１／４程度に遅くなってしまう。回転サーボ制御部６７は、識別データ記録領域５，１４に記録された固有識別データの読み出しを行うとき、例えば３Ｔ、３Ｔ’のピット部Ｐとランド部Ｌの所定周期における信号のパルス幅の最大値、最小値より反転間隔を検出し、基準時間長と検出された反転間隔とが一致するような制御を行う。なお、回転サーボ制御部６７は、この他に、例えば自走周波数を用いてラフなサーボ制御を行うようにしてもよい。
【００７５】
復調部６８は、識別データ記録領域５，１４以外の領域から読み出されたＥＦＭされたデータの復調処理を行い、エラー訂正処理部６９に出力する。エラー訂正処理部６９は、復調部６８からの出力データにＣＩＲＣ等のエラー訂正符号に基づくエラー訂正処理を行う。エラー訂正処理部６９からのデイジタル信号は、出力端子７７より出力される。一方、エラー訂正処理部６９からのディジタル信号は、Ｄ／Ａコンバータ７０に供給される。Ｄ／Ａコンバータ７０は、入力されたディジタルデータをアナログ信号に変換し、スピーカ、イヤホン、ヘッドホン、モニタ等が接続された出力端子７８から装置６１の外部に出力する。光ディスク１，１１から読み出されたデータは、出力端子７７からディジタル信号として、又は出力端子７８からアナログ信号として、少なくともいずれか一方の信号形態で出力される。
【００７６】
サブコード抽出部７１は、ＲＦアンプ６４より出力されたＲＦ信号よりサブコードデータを抽出する。サブコード抽出部７１は、抽出されたサブコードデータを出力端子７９より出力する。識別データ検出部７２は、サブコード抽出部７１によって抽出されたサブコードデータのアドレス情報より識別データ記録領域５，１４のアドレス情報を検出する。切換スイッチ７３は、識別データ記録領域５，１４に記録された固有識別データを読み出すとき、オン状態に切り換えられ、識別データ抽出部７４が固有識別データを抽出することができるようにし、識別データ記録領域５，１４以外の領域に記録されたデータを読み出すとき、オフ状態に切り換えられる。
【００７７】
識別データ復調部７５は、ＰＥ又はバイフェーズマーク変調されている固有識別データを復調し、識別データエラー訂正処理部７６に出力する。識別データエラー訂正処理部７６は、固有識別データのエラー検出とエラー訂正処理を行い、出力端子８０より出力する。
【００７８】
なお、再生装置６１は、図示しない制御部を備えている。この図示しない制御部によって再生装置６１の動作が制御されるとともに、制御部にはサブコードデータや固有識別データ等が供給される。
【００７９】
次に、以上のように構成されたデータ再生装置６１の動作について、図１３を参照して説明する。
【００８０】
ステップＳ２１において、データ再生装置６１の制御部は、ディスク装着部に光ディスク１，１１が装着されると、ＴＯＣデータの読み出しを行うため、スピンドルモータ６２を駆動し光ディスク１，１１を回転すると共に、光ピックアップ６３を図示しない送り機構によって光ディスク１，１１の内周側に移動し、リードイン領域２，１２ａに記録されたＴＯＣデータを読み出すことができる状態にする。ここで、同期信号検出部６６は、光ディスク１，１１の回転開始時等において、信号のパルス幅の最大値、最小値より最大反転間隔を検出し、１１Ｔ、１１Ｔ’のフレーム同期信号を抽出し、回転サーボ制御部６７に出力する。回転サーボ制御部６７は、供給されたフレーム同期信号に基づいて、先ず、基準時間長とフレーム同期信号の最大反転間隔とが一致するようなラフな回転サーボ制御を行い、ＰＬＬがロックするすると、通常の回転サーボ制御を行い、光ディスク１，１１が線速一定で回転するようにする。
【００８１】
ステップＳ２２において、光ピックアップ６３は、光ディスク１，１１によって反射された戻りの光ビームを光検出器により検出し、光検出器によって光電変換した光検出器からの検出出力としての出力信号をＲＦアンプ６４に出力する。サブコード抽出部７１は、アドレス情報等のサブコードデータを抽出する。サブコードデータを抽出することによって、データ再生装置６１の制御部は、ディスク装着部に装着された光ディスク１，１１のアドレス情報を取得することができる。
【００８２】
ステップＳ２３において、識別データ検出部７２は、アドレス情報より識別データ記録領域５，１４の光ディスク１，１１上での位置、即ち記録領域５，１４のアドレス情報を得る。識別データ検出部７２は、サブコードデータのアドレス情報に基づいて、現在光ピックアップ６３によって操作されている位置、即ちアクセスしている位置が識別データ記録領域５，１４の直前のスピンドルモータ６２の回転サーボの切換位置かどうかを判断する。データ再生装置６１の制御部は、検出部７２による判別結果を示すデータに基づいて現在アクセスしている位置がスピンドルモータ６２の回転サーボの切換位置でないと判断したとき、ステップＳ２４に進む。検出部７２による判別結果を示すデータに基づいて現在アクセスしている位置がスピンドルモータ６２の回転サーボの切換位置であるとき、ステップＳ２５に進む。
【００８３】
識別データ検出部７２によってステップＳ２３で、スピンドルモータ６２の回転サーボの切換位置でないと判断したとき、識別データ記録領域５，１４以外の領域をアクセスしているときであるから、ステップＳ２４において、制御部はＰＬＬがロックした状態でのスピンドルモータ６２の回転サーボ制御を行うようにし、ステップＳ２３に戻る。
【００８４】
識別データ検出部７２によってステップＳ２３でスピンドルモータ６２の回転サーボの切換位置であると判断したとき、ステップＳ２５において、制御部は回転サーボ制御部６７に回転サーボの切換信号を出力し、サーボ制御を切り換える。すなわち、同期信号検出部６６が３Ｔ、３Ｔ’のピット部Ｐとランド部Ｌの所定周期における信号のパルス幅の最大値、最小値より反転間隔を検出し、検出された反転間隔の値を同期信号として回転サーボ制御部６７に入力する。その結果、回転サーボ制御部６７は、同期信号の反転間隔と基準時間長とが一致するようなスピンドルモータ６２のラフな回転サーボ制御を行う。これと同時に、識別データ検出部７２は、切換スイッチ７３をオン状態に切り換え、識別データ抽出部７４が光ピックアップ６３が読み出した信号より固有識別データを抽出することができるようにする。なお、光ピックアップ６３が識別データ記録領域５，１４にアクセスする時点で回転サーボを切り換えるようにしてもよい。
【００８５】
ステップＳ２６において、光ピックアップ６３は、識別データ記録領域５，１４の３Ｔ、３Ｔ’のピットパターンを用いてフォーカシングサーボ制御とトラッキングサーボ制御を行うと共に、３Ｔ、３Ｔ’のピットパターン上又はピットパターンからなる記録トラックの間に記録された固有識別データの読み出しを行う。固有識別データは、上述したように、１ビット当たり９８Ｔの長さで記録されていることから、ラフな回転サーボの制御で十分読み出すことができる。識別データ抽出部７４は、入力されたＲＦ信号より固有識別データを抽出し、識別データ復調部７５に出力する。識別データ復調部７５は、入力された固有識別データにＰＥ、バイフェーズマーク変調等が施されているので、これを復調し、識別データエラー訂正処理部７６に出力する。識別データエラー訂正処理部７６は、復調部７５から供給された固有識別データのエラー訂正処理を施した後、固有識別データを出力端子８０より出力する。出力端子８０から出力された固有識別データは制御部に供給される。
【００８６】
ステップＳ２７において、識別データ検出部７２は、光ディスク１，１１から固有識別データの読み出しが終了したかどうかを判断する。すなわち、識別データ検出部７２は、サブコード抽出部７１が抽出したサブコードデータ中のアドレス情報より光ピックアップ６３によって走査されている位置が識別データ記録領域５，１４の最終アドレスに達したか否かによって識別データ記録領域５，１４から識別データの読み出しが終了したかどうかを判断する。識別データ検出部７２は、識別データ記録領域５，１４からの識別データの読み出しが終了したと判断したとき、ステップＳ２８に進み、識別データ記録領域５，１４からの識別データの読み出しが終了していないと判断したとき、ステップＳ２６に戻る。
【００８７】
ステップＳ２８において、識別データ検出部７２又は識別データ検出部７２からの検出結果に基づいて制御部は、回転サーボ制御部６７の回転サーボ制御が通常の回転サーボ制御モードに戻るように回転サーボ制御部６７に切換信号を出力する。回転サーボ制御部６７は、同期信号検出部６６から入力されたフレーム同期信号に基づいてＰＬＬがロックした状態でのスピンドルモータ６２の回転サーボ制御を行う。
【００８８】
ステップＳ２９において、光ピックアップ６３は、識別データ記録領域５，１４以外の領域に図示しない送り機構によって光ディスク１，１１の半径方向に移動され、プログラム領域３，１２ｂ，１３ｂからデータの読み出しを行う。すなわち、光ディスク１のプログラム領域３や光ディスク１１の第１のセッション１２や第２のセッション１３に記録されたデータの読み出しを行うとき、ＲＦ信号がＲＦアンプ６４より復調部６８に入力される。復調部６８は、供給されたＲＦ信号からＥＦＭされているデータを復調し、エラー訂正処理部６９に出力する。エラー訂正処理部６９は、復調されたデータに付加されているエラー訂正符号に基づいてエラー検出、エラー訂正処理を行い、エラー訂正処理がされたディジタル信号Ｄ／Ａコンバータ７０に供給するか、ディジタル信号のまま出力端子７８に出力する。Ｄ／Ａコンバータ７０は、処理部６９から供給されたディジタル信号をアナログ信号に変換し、そのアナログ信号を出力端子７７より出力する。
【００８９】
以上のように、データ再生装置６１は、識別データ記録領域５，１４以外の領域にアクセスするとき、ＰＬＬを用いた通常の回転サーボ制御を行い、識別データ記録領域５，１４にアクセスするとき、通常の回転サーボ制御よりラフな回転サーボ制御を行うようにすることで、識別データ記録領域５，１４のように１１Ｔ、１１Ｔ’のフレーム同期信号が設けられていない領域に記録された固有識別データの読み出しも行うことができる。
【００９０】
一度データ再生装置６１が光ディスク１，１１の固有識別データを読み出し、図示しない内部メモリに保存しているとき等は、２回目以降の再生のとき、固有識別データを読み出す必要は無くなる。このようなときには、図１４に示すように、光ディスク１，１１の識別データ記録領域５，１４をスキップしてデータの再生を行うようにしてもよい。
【００９１】
すなわち、ステップＳ３１において、データ再生装置６１は、図示しないディスク装着部に光ディスク１，１１が装着されると、ＴＯＣデータの読み出しを行うため、スピンドルモータ６２を駆動し光ディスク１，１１を回転すると共に、光ピックアップ６３を光ディスク１，１１の内周側に移動し、光ディスク１，１１に光ビームを照射する。ここで、同期信号検出部６６は、光ディスク１，１１の回転開始時等において、信号のパルス幅の最大値、最小値より最大反転間隔を検出し、検出された最大反転間隔の値から１１Ｔ、１１Ｔ’のフレーム同期信号を抽出し、回転サーボ制御部６７に出力する。回転サーボ制御部６７は、先ず、基準時間長とフレーム同期信号の最大反転間隔とが一致するようなラフな回転サーボ制御を行い、ＰＬＬがロックするすると、前述したようにＲＦ信号から検出されたクロック信号と基準となるクロック信号の位相差に基づく通常の回転サーボ制御を行い、光ディスク１，１１が線速一定で回転するようにする。
【００９２】
ステップＳ３２において、光ピックアップ６３は、光ディスク１，１１で反射された戻りの光ビームを光検出器で検出し、光検出器で光電変換して、光検出器からの出力信号をＲＦアンプ６４に出力する。サブコード抽出部７１は、供給されたＲＦ信号からアドレス情報等のサブコードデータを抽出する。これによって、データ再生装置６１は、ディスク装着部に装着された光ディスク１，１１のアドレス情報を取得することができる。
【００９３】
ステップＳ３３において、識別データ検出部７２は、アドレス情報より識別データ記録領域５，１４の光ディスク１，１１上での位置、即ち記録領域５，１４のアドレス情報を得る。識別データ検出部７２は、サブコードデータのアドレス情報に基づいて、現在光ピックアップ６３によって走査されている位置、即ち光ピックアップ６３によってアクセスしている位置が識別データ記録領域５，１４の直前のスピンドルモータ６２の回転サーボの切換位置かどうかを判断する。データ再生装置６１の制御部は、検出部７２による判別結果を示すデータに基づいて現在アクセスしている位置がスピンドルモータ６２の回転サーボの切換位置でないと判断したとき、ステップＳ３４に進む。検出部７２による判別結果を示すデータに基づいて現在アクセスしている位置がスピンドルモータ６２の回転サーボの切換位置であるとき、ステップＳ３５に進む。
【００９４】
識別データ検出部７２によってステップＳ３４でスピンドルモータ６２の回転サーボの切換位置でないと判断したとき、識別データ記録領域５，１４以外の領域をアクセスしているときであるから、ステップＳ３４において、制御部は、ＰＬＬがロックした状態でのスピンドルモータ６２の回転サーボ制御を行いステップＳ３３に戻る。
【００９５】
識別データ検出部７２によってステップＳ３４でスピンドルモータ６２の回転サーボの切換位置であると判断したとき、データ再生装置６１の制御部は、ステップＳ３５において、図示しない送り機構によって光ピックアップ６３を光ディスク１，１１の識別データ記録領域５，１４の外周側に送り操作し、識別データ記録領域５，１４からデータの読み出しをスキップさせる。ステップＳ３６において、光ピックアップ６３は、識別データ記録領域５，１４以外の領域にアクセスし、プログラム領域３，１２ｂ，１３ｂからデータの読み出しを行う。すなわち、光ディスク１のプログラム領域３や光ディスク１１の第１のセッション１２や第２のセッション１３に記録されたデータの読み出しを行うとき、ＲＦ信号がＲＦアンプ６４より復調部６８に入力される。復調部６８は、供給されたＲＦ信号からＥＦＭされているデータを復調し、エラー訂正処理部６９に出力する。エラー訂正処理部６９は、復調部６８から供給された復調されたデータに付加されているエラー訂正符号に基づいてエラー検出、エラー訂正処理を行い、エラー訂正処理がされたディジタル信号をＤ／Ａコンバータ７０に出力するか、ディジタル信号のまま出力端子７８から出力する。Ｄ／Ａコンバータ７０は、処理部６９から供給されたディジタル信号をアナログ信号に変換し、アナログ信号を出力端子７７より出力する。
【００９６】
以上のように、データ再生装置６１は、例えば光ディスク１，１１の２回目以降の再生のときに、識別データ記録領域５，１４をスキップしてデータを再生することで、回転サーボ制御の切り換えを行う必要が無くなり、コンテンツデータの再生が開始するまでの時間等を短くすることができる。
【００９７】
以上、識別データ記録領域５，１４を除きコンテンツデータがピットパターンで記録された再生専用の光ディスク１，１１を例に取り説明したが、本発明で用いる光ディスクは、識別データ記録領域５，１４以外の領域のディスク基板にグルーブを設けディスク基板上に記録層となる色素層を設けた追記型の光ディスク、識別データ記録領域５，１４以外の領域のディスク基板にグルーブを設けディスク基板上に記録層となる相変化材料層を設けた書換型の光ディスク等であってもよい。
【００９８】
産業上の利用可能性
本発明によれば、第１の記録領域に、所定の変調方式で変調された変調パターンとこの変調方式の最大ランレングスと同じか、より長いパターンを含む同期信号パターンが設けられ、第１の記録領域と異なる第２の記録領域に、同期信号パターンに含まれないパターンが設けられた光ディスクの記録又は再生を行うときに、第１の記録領域では同期信号パターンを用いて高精度の第１のモードで回転駆動手段の回転駆動制御を行い、第２の記録領域では同期信号パターンに含まれないパターンを用いてラフな第２のモードで回転駆動手段の回転駆動制御を行う。したがって、第２の領域にデータを確実に記録し、また、第２の領域に記録されたデータを確実に読み出すことができる。
【図面の簡単な説明】
【図１】  図１は、本発明に係る記録及び／又は再生装置に用いられる光ディスクの構成を説明する図である。
【図２】  図２は、本発明に係る記録及び／又は再生装置に用いられる光ディスクの他の例を説明する図である。
【図３】  図３は、本発明に係る記録及び／又は再生装置に用いられる光ディスクに記録される信号フォーマットを説明する図である。
【図４】  図４は、光ディスクの製造工程を説明する図である。
【図５】  図５は、光ディスクを製造するために用いられるカッティング装置を説明するブロック図である。
【図６】  図６は、カッティング装置の動作を説明するフローチャートである。
【図７】  図７は、識別データ記録領域とこれ以外の領域の構成を説明する図である。
【図８】  図８は、識別データ記録領域に識別データを記録する記録装置のブロック図である。
【図９Ａ】  図９Ａ及び図９Ｂは、位相変調とバイフェーズコード変調処理とを説明する図である。
【図９Ｂ】  図９Ａ及び図９Ｂは、位相変調とバイフェーズコード変調処理とを説明する図である。
【図１０】  図１０は、記録装置の動作を説明するフローチャートである。
【図１１】  図１１は、識別データ記録領域に固有識別データが記録された状態を説明する図である。
【図１２】  図１２は、本発明に係るデータ再生装置のブロック図である。
【図１３】  図１３は、本発明に係るデータ再生装置の動作を説明するフローチャートである。
【図１４】  図１４は、識別データ記録領域をスキップする動作を説明するフローチャートである。
【図１】
0004144524.tif 000002
【図２】
0004144524.tif 000003
【図３】
0004144524.tif 000004
【図４】
0004144524.tif 000005
【図５】
0004144524.tif 000006
【図６】
0004144524.tif 000007
【図７】
0004144524.tif 000008
【図８】
0004144524.tif 000009
【図９Ａ】
0004144524.tif 000010
【図９Ｂ】
0004144524.tif 000011
【図１０】
0004144524.tif 000012
【図１１】
0004144524.tif 000013
【図１２】
0004144524.tif 000014
【図１３】
0004144524.tif 000015
【図１４】
0004144524.tif 000016